(57)【要約】【課題】異常状態が発生したことを、最適なタイミングで検出することが可能となる画像形成装置を提供する。【解決手段】補正回路４１４は、入力された所定の値Ｖｒｅｆを、サーミスタ４１２の出力ＶＴＨ１に応じて補正し、補正Ｖｒｅｆとして、コンパレータ４０９の負側入力端子（−）に供給する。コンパレータ４０９は、負側入力端子（−）に印加された補正Ｖｒｅｆと、正側入力端子（＋）に印加された電圧とを比較することにより、発信回路４０１から出力される矩形波のＨ区間で、サーミスタ４１０の異常昇温を監視し、そのＬ区間で、サーミスタ４１０の断線を監視する。ここで、サーミスタ４１２が断線した場合、定着装置の温度を上昇させようとするが、このとき、補正Ｖｒｅｆは、変化範囲内の最小値となるので、サーミスタ４１０は、サーミスタ４１２が正常動作しているときに、定着装置の異常昇温を判断する温度より低い温度で異常昇温を判断する。したがって、異常状態を早い段階、すなわち低温段階にて検出することが可能となる。【選択図】　　図１
2004145209.tif 000002
【特許請求の範囲】
【請求項１】
記録媒体に画像を形成する画像形成部と、この画像形成部において形成された記録媒体上の画像を加熱することで定着させる定着手段と、この定着手段の温度を検出するために、温度変化により抵抗値が変化する、少なくとも第１および第２の温度検出手段とを備えた画像形成装置において、
前記第１の温度検出手段の抵抗値を監視する第１の監視手段と、
この第１の監視手段により監視された、前記第１の温度検出手段の抵抗値に応じて、前記定着手段の第１の温度情報に変換する第１の温度変換手段と、
この第１の温度変換手段により変換された第１の温度情報に応じて、前記定着手段の温度を制御する定着手段温度制御手段と、
前記第２の温度検出手段の抵抗値を監視する第２の監視手段と、
この第２の監視手段により監視された、前記第２の温度検出手段の抵抗値に応じて、前記定着手段の第２の温度情報に変換する第２の温度変換手段と、
前記第２の温度検出手段の抵抗値が予め設定された第１の抵抗値より低いことを検出する第１の抵抗値検出手段と、
前記第２の温度検出手段の抵抗値が予め設定された第２の抵抗値より高いことを検出する第２の抵抗値検出手段と、
前記第１または第２の抵抗値検出手段のいずれか一方を前記第２の温度検出手段に接続するように切り換える切換え手段と、
前記第１の抵抗値検出手段により、前記第２の温度検出手段の抵抗値が前記第１の抵抗値より低いことが検出された場合に、第１の異常と判断し、前記第２の抵抗値検出手段により、前記第２の温度検出手段の抵抗値が前記第２の抵抗値より高いことが検出された場合に、第２の異常と判断する異常判断手段と、
前記第１および第２の抵抗値検出手段のうち、少なくとも一方の抵抗値検出手段が抵抗値を検出するための基準電圧値を、前記第１の監視手段によって監視された、前記第１の温度検出手段の抵抗値に基づいて決定する抵抗値決定手段と
を有することを特徴とする画像形成装置。
【発明の詳細な説明】
【０００１】
【発明の属する技術分野】
本発明は、画像形成部において形成された記録媒体上の画像を加熱することで定着させる定着手段を備え、該定着手段の異常を検出するとともに、該定着手段の異常を検出する検出手段の異常を検出する画像形成装置に関する。
【０００２】
【従来の技術】
従来より、いわゆる電子写真方式の画像形成装置においては、感光ドラムにトナー像を形成し、記録媒体（シート材）に該トナー像を転写して記録媒体の表面に画像を形成する画像形成部と、その下流側に、記録媒体に形成されたトナー像を加熱することでトナーを記録媒体表面に溶着させて固定させる定着装置とが備えられている。
【０００３】
そして、定着装置に関しては、記録媒体に一定の熱量が伝達されるように、加熱部の温度管理が行われている。この加熱部の温度管理は、記録媒体通過部に配設された温度調整制御用のサーミスタと、これとは別にさらなる安全性を追求して記録媒体非通過部に配設された異常監視用のサーミスタとで行われている。
【０００４】
この異常監視用のサーミスタの異常を検出する手段として、異常昇温とサーミスタの断線を検出できる回路構成を実現し、検出レベルとしては相反する２つの異常状態を検出するようにしたものがある（例えば、特許文献１参照）。
【０００５】
【特許文献１】
特開平１０−２４００６６
【０００６】
【発明が解決しようとする課題】
しかし、上記従来の画像形成装置では、温度調整制御用サーミスタの断線が発生した場合、温度が低いと認識するようにしているため、加熱制御を続けてしまい、異常監視用サーミスタの異常検出レベルに達するまで、温度が上昇する。
【０００７】
図１３は、上記従来の画像形成装置の異常監視回路の概略構成図であり、図１４は、図１３の異常監視回路の監視動作を示す図であり、図１５は、図１３の発信回路の出力とコンパレータの出力を示す図であり、図１６は、図１３の異常監視回路のＡ点の電圧の変化を示す図である。
【０００８】
図１３に示すように、サーミスタ４１２の出力とサーミスタ４１０の異常監視回路の出力とが、それぞれ独立に得られ、各出力は、それぞれの制御に独立して用いられる。したがって、図１６（ｂ）に示すように、過昇温の検出は温度調整用サーミスタの断線の発生にかかわらず、所定の値のままとなるので、上述の問題が発生する。
【０００９】
本発明は、この点に着目してなされたものであり、異常状態が発生したことを、最適なタイミングで検出することが可能となる画像形成装置を提供することを目的とする。
【００１０】
【課題を解決するための手段】
上記目的を達成するため、請求項１に記載の画像形成装置は、記録媒体に画像を形成する画像形成部と、この画像形成部において形成された記録媒体上の画像を加熱することで定着させる定着手段と、この定着手段の温度を検出するために、温度変化により抵抗値が変化する、少なくとも第１および第２の温度検出手段とを備えた画像形成装置において、前記第１の温度検出手段の抵抗値を監視する第１の監視手段と、この第１の監視手段により監視された、前記第１の温度検出手段の抵抗値に応じて、前記定着手段の第１の温度情報に変換する第１の温度変換手段と、この第１の温度変換手段により変換された第１の温度情報に応じて、前記定着手段の温度を制御する定着手段温度制御手段と、前記第２の温度検出手段の抵抗値を監視する第２の監視手段と、この第２の監視手段により監視された、前記第２の温度検出手段の抵抗値に応じて、前記定着手段の第２の温度情報に変換する第２の温度変換手段と、前記第２の温度検出手段の抵抗値が予め設定された第１の抵抗値より低いことを検出する第１の抵抗値検出手段と、前記第２の温度検出手段の抵抗値が予め設定された第２の抵抗値より高いことを検出する第２の抵抗値検出手段と、前記第１または第２の抵抗値検出手段のいずれか一方を前記第２の温度検出手段に接続するように切り換える切換え手段と、前記第１の抵抗値検出手段により、前記第２の温度検出手段の抵抗値が前記第１の抵抗値より低いことが検出された場合に、第１の異常と判断し、前記第２の抵抗値検出手段により、前記第２の温度検出手段の抵抗値が前記第２の抵抗値より高いことが検出された場合に、第２の異常と判断する異常判断手段と、前記第１および第２の抵抗値検出手段のうち、少なくとも一方の抵抗値検出手段が抵抗値を検出するための基準電圧値を、前記第１の監視手段によって監視された、前記第１の温度検出手段の抵抗値に基づいて決定する抵抗値決定手段とを有することを特徴とする。
【００１１】
【発明の実施の形態】
以下、本発明の実施の形態を図面に基づいて詳細に説明する。
【００１２】
図１は、本発明の一実施の形態に係る画像形成装置（例えば複写装置）の構成を示す縦断面図である。
【００１３】
同図において、画像形成装置１００は、画像読み取り部であるリーダ部１１０と、画像記録部であるプリンタ部１５０とからなっている。
【００１４】
リーダ部１１０は、原稿給送装置１４０、原稿台ガラス１１１、スキャナ部のランプ１１２、スキャナ・ユニット１１３、ミラー１１４，１１５，１１６、レンズ１１７およびＣＣＤイメージ・センサ部（以下、「ＣＣＤ」と言う）１１８を有している。
【００１５】
プリンタ部１５０は、露光制御部１５１、感光体１５２、現像器１５３、記録紙（転写紙）積載部１５４，１５５、転写部１５６、定着部１５７、排紙部１５８、搬送方向切り替え部材１５９、再給紙用記録紙（転写紙）積載部１６０およびソータ１７０を有している。
【００１６】
次に、このように構成された画像形成装置１００の動作について説明する。
【００１７】
図１において、リーダ部１１０の原稿給送装置１４０上に積載された複数枚の原稿は、１枚ずつ順次原稿台ガラス１１１上に搬送される。原稿が原稿台ガラス１１１の所定位置に搬送されると、スキャナ部のランプ１１２が点灯するともに、スキャナ・ユニット１１３が移動して、原稿がランプ１１２により照射される。原稿の反射光は、ミラー１１４，１１５，１１６およびレンズ１１７を介してＣＣＤ１１８に入力される。ＣＣＤ１１８に照射された原稿の反射光は、光電変換され、画像信号として出力される。
【００１８】
ＣＣＤ１１８から出力された画像信号は、プリンタ部１５０に送信され、適宜画像処理が施された後、露光制御部１５１に送信される。露光制御部１５１は、この画像信号を変調された光信号に変換する。この光信号は感光体１５２に照射され、感光体１５２上に潜像が形成される。感光体１５２上に形成された潜像は、現像器１５３によって現像される。この現像された像の先端とタイミングを合わせて、記録紙積載部１５４または記録紙積載部１５５から記録紙が、センサ１６１または１６２からの記録紙検出信号に基づいて制御されるローラ１６４または１６５によって搬送される。
【００１９】
そして、記録紙が、ローラ１６６を経由して、センサ１６３に到達したことが検出されると、ローラ１６７によって下流に搬送され、転写部１５６において前記現像された像がこの記録紙に転写される。記録紙に転写された像は、定着部１５７により記録紙に定着された後、排紙部１５８より装置外部に排出される。排紙部１５８から排出された記録紙は、ソータ１７０でソート機能が働いている場合には、各ビン１７２等に、またソート機能が働いていない場合には、ソータ１７０の最上位のビン１７１に排出される。
【００２０】
次に、順次読み込む画像を１枚の記録紙の両面に出力する場合について説明する。
【００２１】
定着部１５７により像が定着された記録紙は、一度、排紙部１５８まで搬送された後、その搬送方向を反転し、搬送方向切り替え部材１５９を介して再給紙用記録紙積載部１６０に搬送される。そして、次の原稿が準備されると、前記プロセスと同様にして原稿画像が読み取られるが、記録紙については再給紙用記録紙積載部１６０から給紙されるので、結局、同一記録紙の表面と裏面に２枚の原稿画像を出力することができる。
【００２２】
図２は、本実施の形態の画像形成装置１００を制御する制御装置３００の概略構成を示すブロック図である。
【００２３】
同図に示すように、制御装置３００は、読み取り専用メモリ（ＲＯＭ）３０２に記憶された制御手順に従って画像形成装置１００全体を制御するＣＰＵ３０１と、上記制御手順（制御プログラム）を記憶した読み取り専用メモリ（ＲＯＭ）３０２と、入力データの記憶や作業用記憶領域等として用いる主記憶装置であるところのランダムアクセスメモリ（ＲＡＭ）３０３と、メインモータ等の負荷に対するＣＰＵ３０１の制御信号の出力、およびセンサ等の信号を入力してＣＰＵ３０１に送信するインターフェース部（Ｉ／Ｏ）３０４とを備えている。
【００２４】
図３は、定着部１５７の定着ローラの温度を検出するために記録紙の非通過部に配設された負の温度係数を備えるサーミスタ４１０からの信号を監視する異常監視回路Ｃ１および記録紙の通過部に配設された温度調整制御のサーミスタ４１２の周辺回路の概略図を示す図である。
【００２５】
同図において、異常監視回路Ｃ１では、切換え信号生成手段としての発振回路４０１の出力に基づいて、切換え手段としてのスイッチ４０２，４０３，４０４および４０５により、サーミスタ４１０と接続される回路が切り換わる。
【００２６】
発振回路４０１からは所定の周波数の短形波が出され、その出力（Ｂ点）が“Ｈ”のときには、スイッチ４０２，４０５がオンするとともに、スイッチ４０３，４０４がオフして、図４（ａ）の太線の回路（第１の抵抗値検出手段）が選択された状態となり、抵抗４０７がサーミスタ４１０とアースとの間に接続されるとともに、サーミスタ４１０の一方の側としてアース側の電圧（サーミスタ４１０と抵抗４０７との間の電圧）が比較手段としてのコンパレータ４０９に入力される。この状態は、第１の異常としてのサーミスタ４１０の異常昇温監視状態となる。
【００２７】
また、発振回路４０１の出力が“Ｌ”のときには、スイッチ４０３，４０４がオンするとともに、スイッチ４０２，４０５がオフして、図４（ｂ）の太線の回路（第２の抵抗値検出手段）が選択された状態となり、抵抗４０８がサーミスタ４１０と高圧（Ｖｃ）側との間に接続されるとともに、サーミスタ４１０の他方の側として高圧側の電圧（サーミスタ４１０と抵抗４０８との間の電圧）が比較手段としてのコンパレータ４０９に入力される。この状態は、第２の異常としてのサーミスタ４１０の断線監視状態となる。
【００２８】
ここで、インバータ４０６は、スイッチ４０２，４０５とスイッチ４０３，４０４との位相を逆転させるための反転素子である。また、コンパレータ４０９の出力信号は、Ｉ／Ｏ３０４を介して異常判断手段として機能するＣＰＵ３０１により判断され、異常状態が装置本体に認識される。
【００２９】
そして、コンパレータ４０９の比較基準電圧としては、サーミスタ４１２の出力ＶＴＨ１（抵抗４１１との分圧）に応じて入力電圧値を補正する補正回路４１４によって、所定の値Ｖｒｅｆを補正した値である補正Ｖｒｅｆが入力される。
【００３０】
また、サーミスタ４１２の出力ＶＴＨ１は、温度制御のためにＣＰＵ３０１に内蔵されたＡ／Ｄコンバータ４１３に入力され、温度情報に変換される。
【００３１】
図５は、図３の補正回路４１４の回路構成を示す図である。
【００３２】
同図に示すように、補正回路４１４は、差動増幅部５０１と、上限リミッタ部５０７とから構成されている。
【００３３】
差動増幅部５０１は、オペアンプ５０２と、抵抗素子５０３、５０４、５０５および５０６とから構成され、上限リミッタ部５０７は、オペアンプ５０８と、抵抗素子５０９，５１０と、ダイオード５１１とから構成されている。
【００３４】
次に、差動増幅部５０１の動作の詳細について述べる。
【００３５】
入力された、サーミスタ４１２からの出力ＶＴＨ１は、差動増幅部５０１によって、電圧Ｖｂに変換され、その値は下記のとおりである。なお、Ｖａは、あらかじめ用意された所定の電圧であり、Ｒ５０３，Ｒ５０４，Ｒ５０５およびＲ５０６は、それぞれ抵抗５０３，５０４，５０５および５０６の抵抗値である。
【００３６】
Ｖｂ＝−（Ｒ５０４／Ｒ５０３）×ＶＴＨ１＋（（Ｒ５０３＋Ｒ５０４）／Ｒ５０３）×（Ｒ５０６／（Ｒ５０５＋Ｒ５０６））×Ｖａ　…（１）
ここで、Ｒ５０４／Ｒ５０３＝Ｒ５０６／Ｒ５０５と設定することで、式（１）を
Ｖｂ＝Ｒ５０４／Ｒ５０３×（Ｖａ−ＶＴＨ１）　　…（２）
のように、簡略化できる。
【００３７】
さらに、この差動増幅部５０１では、装置の動作温度範囲内で、正常にもかかわらず誤って断線検出をしないように、Ｖｂの値が所定の値を下回らないように、抵抗５０３，５０４，５０５，５０６および電圧Ｖａを設定する（電圧の関係は、後述する図７（ａ）の説明を参照）。
【００３８】
次に、上限リミッタ部５０７の動作の詳細について述べる。
【００３９】
差動増幅部５０１の出力Ｖｂは、上限リミッタ部５０７によって、次のように出力補正Ｖｒｅｆに変換される。
【００４０】
Ｖｂ＜Ｖｒｅｆの場合、
補正Ｖｒｅｆ＝Ｖｂ
Ｖｂ≧Ｖｒｅｆの場合、
補正Ｖｒｅｆ＝Ｖｒｅｆ
すなわち、補正Ｖｒｅｆの上限は、Ｖｒｅｆになる。
【００４１】
図６は、発振回路４０１により発生される切換え信号（出力Ｈと出力Ｌ）と、この信号により切換えられた回路のＡ点における電圧に対応するコンパレータ４０９の出力とを示す図であり、同図（ａ）は正常動作時、同図（ｂ）は異常昇温発生時、同図（ｃ）は断線時を示している。
【００４２】
図６（ａ）に示すように、正常動作時には、Ａ点の電圧は補正Ｖｒｅｆより低く、コンパレータ４０９の出力は常に“Ｌ”である。
【００４３】
図６（ｂ），（ｃ）に示すように、異常時（異常昇温時あるいは断線時）には、Ａ点の電圧は補正Ｖｒｅｆより高くなり、コンパレータ４０９からは発振回路４０１と同じ周波数の短形波が出力され、その出力が“Ｈ”となるとき、異常と判断して装置の全動作を停止および禁止させる。そして、その時点での発振回路４０１の出力をみて、“Ｈ”のときには、異常昇温発生と判断して装置の電源を遮断させ、“Ｌ”のときには、断線状態と判断してディスプレイにサーミスタの断線異常を表示させる。
【００４４】
図７は、異常監視回路Ｃ１のＡ点の電圧の変化を示す図であり、同図（ａ）は、発振回路４０１の出力（Ｂ点）が“Ｌ”のとき、すなわちサーミスタ４１０の断線監視時の温度に対するＡ点の電圧変化であり、同図（ｂ）は、発振回路４０１の出力（Ｂ点）が“Ｈ”のとき、すなわちサーミスタ４１０の異常昇温監視時の温度に対するＡ点の電圧変化である。これらをみると、いずれの異常時にもコンパレータ４０９の入力電圧が補正Ｖｒｅｆを越え（図７（ａ）ではＶｃであり、図７（ｂ）ではＶｈ）、コンパレータ４０９の出力が発振回路４０１と同じ周波数の短形波となり、シャットオフに至ることが分かる。
【００４５】
補正Ｖｒｅｆの値は、図のように、サーミスタ４１２の出力に応じて、ある決まった幅で変動する。
【００４６】
図７（ａ）に示す断線監視時温度に対するＡ点の電圧変化に記載してあるように、装置の動作温度範囲にて正常であるにもかかわらず誤って異常検出をすることがないように、図３および図５に記載の補正回路４１４の素子定数を設定し、動作温度範囲の下限（図中のＸ点）にて正常時のＡ点の電圧より補正Ｖｒｅｆを高くする。
【００４７】
図７（ｂ）に示す異常昇温監視時の温度に対するＡ点の電圧変化に記載してあるように、サーミスタ４１２の断線が発生した場合、補正Ｖｒｅｆの値は、変化範囲の中でもっとも低くなり、所定の異常温度検出ポイントより低い温度（図中のＹ点）にて異常とみなすことが可能となる。
【００４８】
図８は、異常監視処理の手順を示すフローチャートである。
【００４９】
同図において、コンパレータ４０９の出力が“Ｈ”であると検出された場合、装置の全動作を停止および禁止させ（ステップＳ１→Ｓ２）、その時点での発振回路４０１の出力をみて、“Ｈ”のときには、異常昇温状態と判断する（ステップＳ４）一方、“Ｌ”のときには、断線状態と判断する（ステップＳ７）。
【００５０】
その後、メモリ３０３に異常状態を記憶させ（ステップＳ５）、装置の電源を遮断する（ステップＳ６）。
【００５１】
次に、本発明の他の実施の形態に係る画像形成装置を説明する。
【００５２】
上記実施の形態の画像形成装置では、コンパレータ４０９の負側入力端子（−）に入力する基準電圧としては、サーミスタ４１２の出力ＶＴＨ１を補正回路４１４で補正したもの、つまりハードウェアによって生成したものを使用するのに対して、本実施の形態の画像形成装置では、ソフトウェアによって生成したものを使用する点のみが異なっている。したがって、本実施の形態の画像形成装置のハードウェアは、上記実施の形態の画像形成装置のハードウェアと、基本的に同じもの（図１および図２に示したもの）を用いることにする。
【００５３】
図９および図１０は、それぞれ前記図３および図４に対応するものである。
【００５４】
図９において、図３と異なる点は、補正回路４１４を省略して、ＣＰＵ３０１に内蔵されたＤ／Ａコンバータ４１４の出力を、Ｖｒｅｆとして、直接コンパレータ４０９の反転端子（−）に入力するようにしていることのみである。
【００５５】
また、図１０において、図４と異なる点は、コンパレータ４０９の反転端子（−）に入力する基準電圧が、補正Ｖｒｅｆに代えて、Ｖｒｅｆとなっていることのみである。
【００５６】
図１１は、サーミスタ４１２の出力から得られる温度情報に対応するコンパレータ４０９の比較基準電圧Ｖｒｅｆを決定するためのデータとその基準電圧を示すデータテーブルの一例である。
【００５７】
同図に示すように、サーミスタ４１２の出力から得られる温度情報が高くなると、Ｖｒｅｆも高くなる（Ｖｄａｔａ１＜Ｖｄａｔａ２＜Ｖｄａｔａ３＜Ｖｄａｔａ４）ように設定されている。
【００５８】
図１２は、異常監視回路Ｃ１のＡ点の電圧の変化を示す図であり、同図（ａ）は、発振回路４０１の出力（Ｂ点）が“Ｌ”のとき、すなわちサーミスタ４１０の断線監視時の温度に対するＡ点の電圧変化であり、同図（ｂ）は、発振回路４０１の出力（Ｂ点）が“Ｈ”のとき、すなわちサーミスタ４１０の異常昇温監視時の温度に対するＡ点の電圧変化である。これらをみると、いずれの異常時にもコンパレータ４０９の入力電圧が補正Ｖｒｅｆを越え（図１２（ａ）ではＶｃであり、図１２（ｂ）ではＶｈ）、コンパレータ４０９の出力が発振回路４０１と同じ周波数の短形波となり、シャットオフに至ることが分かる。
【００５９】
Ｖｒｅｆの値は、図のように、サーミスタ４１２の出力に応じて、予め決められた値が設定されており（図１１）、Ｄ／Ａコンバータ４１４によって出力される。
【００６０】
図１２（ａ）に示す断線監視時温度に対するＡ点の電圧変化に記載してあるように、装置の動作温度範囲にて正常であるにもかかわらず誤って異常検出をすることがないように、図４に記載のデータを設定し、動作温度範囲の下限（図中のＸ点）にて正常時のＡ点の電圧より補正Ｖｒｅｆを高くする。
【００６１】
図１２（ｂ）に示す異常昇温監視時の温度に対するＡ点の電圧変化に記載してあるように、サーミスタ４１２の断線が発生した場合、Ｖｒｅｆの値は、変化範囲の中でもっとも低くなり、所定の異常温度検出ポイントより低い温度（図中のＹ点）にて異常とみなすことが可能となる。
【００６２】
また、サーミスタ４１２の値が異常を示したときには、図１１の基準値Ｖｒｅｆ（Ｖｄａｔａ１，Ｖｄａｔａ２，Ｖｄａｔａ３，Ｖｄａｔａ４のいずれか）で検出することが可能であり、常に最適なタイミングで異常を検出できる。
【００６３】
異常監視の手順は、上記実施の形態の図８のフローチャートに示されるものをそのまま用いればよいので、その説明は省略する。
【００６４】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００６５】
この場合、記憶媒体から読出されたプログラムコード自体が本発明の新規な機能を実現することになり、そのプログラムコードを記憶した記憶媒体は本発明を構成することになる。
【００６６】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００６７】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【００６８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【００６９】
以下、本発明の実施態様の例を列挙する。
【００７０】
（実施態様１）　記録媒体に画像を形成する画像形成部と、この画像形成部において形成された記録媒体上の画像を加熱することで定着させる定着手段と、この定着手段の温度を検出するために、温度変化により抵抗値が変化する、少なくとも第１および第２の温度検出手段とを備えた画像形成装置において、
前記第１の温度検出手段の抵抗値を監視する第１の監視手段と、
この第１の監視手段により監視された、前記第１の温度検出手段の抵抗値に応じて、前記定着手段の第１の温度情報に変換する第１の温度変換手段と、
この第１の温度変換手段により変換された第１の温度情報に応じて、前記定着手段の温度を制御する定着手段温度制御手段と、
前記第２の温度検出手段の抵抗値を監視する第２の監視手段と、
この第２の監視手段により監視された、前記第２の温度検出手段の抵抗値に応じて、前記定着手段の第２の温度情報に変換する第２の温度変換手段と、
前記第２の温度検出手段の抵抗値が予め設定された第１の抵抗値より低いことを検出する第１の抵抗値検出手段と、
前記第２の温度検出手段の抵抗値が予め設定された第２の抵抗値より高いことを検出する第２の抵抗値検出手段と、
前記第１または第２の抵抗値検出手段のいずれか一方を前記第２の温度検出手段に接続するように切り換える切換え手段と、
前記第１の抵抗値検出手段により、前記第２の温度検出手段の抵抗値が前記第１の抵抗値より低いことが検出された場合に、第１の異常と判断し、前記第２の抵抗値検出手段により、前記第２の温度検出手段の抵抗値が前記第２の抵抗値より高いことが検出された場合に、第２の異常と判断する異常判断手段と、
前記第１および第２の抵抗値検出手段のうち、少なくとも一方の抵抗値検出手段が抵抗値を検出するための基準電圧値を、前記第１の監視手段によって監視された、前記第１の温度検出手段の抵抗値に基づいて決定する抵抗値決定手段と
を有することを特徴とする画像形成装置。
【００７１】
（実施態様２）　前記基準電圧値は、所定の範囲内の値であることを特徴とする実施態様１に記載の画像形成装置。
【００７２】
（実施態様３）　前記切換え手段は、前記第１または第２の抵抗値検出手段のいずれか一方を前記温度検出手段に接続するための切換え信号を生成する切換え信号生成手段を備え、
前記第１および第２の抵抗値検出手段は、共通に使用される比較手段を有し、この比較手段により生成される検出信号を前記異常判断手段へ送出し、
前記異常判断手段は、前記比較手段から送出される検出信号が前記第１または第２の抵抗値検出手段のいずれによるものかを、前記切換え信号生成手段によって生成される切換え信号によって判断する
ことを特徴とする実施態様１または２に記載の画像形成装置。
【００７３】
（実施態様４）　前記温度検出手段は、負の温度係数を有するサーミスタであり、
前記第１の抵抗値検出手段は、前記サーミスタの一方の側の電圧を前記比較手段へと導く回路を有し、
前記第２の抵抗値検出手段は、前記サーミスタの他方の側の電圧を前記比較手段へと導く回路を有し、
前記比較手段は、同じ比較電圧と前記サーミスタの一方の側の電圧または他方の側の電圧を比較し、前記異常判断手段へ送出される前記検出信号を生成する
ことを特徴とする実施態様１〜３のいずれかに記載の画像形成装置。
【００７４】
【発明の効果】
以上説明したように、本発明によれば、温調用サーミスタの出力に応じて異常監視用サーミスタの異常検出回路の基準電圧を補正または決定するようにしたので、異常状態を早い段階、すなわち低温段階にて検出することが可能となる。
【図面の簡単な説明】
【図１】本発明の一実施の形態に係る画像形成装置の構成を示す縦断面図である。
【図２】図１の画像形成装置を制御する制御装置の概略構成を示すブロック図である。
【図３】定着部１５７の定着ローラの温度を検出するために記録紙の非通過部に配設された負の温度係数を備えるサーミスタ４１０からの信号を監視する異常監視回路Ｃ１および記録紙の通過部に配設された温度調整制御のサーミスタ４１２の周辺回路の概略図を示す図である。
【図４】図３の異常監視回路Ｃ１の監視動作を示す図である。
【図５】図３の補正回路４１４の回路構成を示す図である。
【図６】発振回路４０１により発生される切換え信号（出力Ｈと出力Ｌ）と、この信号により切換えられた回路のＡ点における電圧に対応するコンパレータ４０９の出力とを示す図である。
【図７】図４の異常監視回路Ｃ１のＡ点の電圧の変化を示す図である。
【図８】異常監視処理の手順を示すフローチャートである。
【図９】本発明の他の実施の形態に係る画像形成装置において、定着部１５７の定着ローラの温度を検出するために記録紙の非通過部に配設された負の温度係数を備えるサーミスタ４１０からの信号を監視する異常監視回路Ｃ１および記録紙の通過部に配設された温度調整制御のサーミスタ４１２の周辺回路の概略図を示す図である。
【図１０】図９の異常監視回路Ｃ１の監視動作を示す図である。
【図１１】図９のサーミスタ４１２の出力から得られる温度情報に対応するコンパレータ４０９の比較基準電圧Ｖｒｅｆを決定するためのデータとその基準電圧を示すデータテーブルの一例である。
【図１２】図９の異常監視回路Ｃ１のＡ点の電圧の変化を示す図である。
【図１３】従来の画像形成装置の異常監視回路の概略構成図である。
【図１４】図１３の異常監視回路の監視動作を示す図である。
【図１５】図１３の発信回路の出力とコンパレータの出力を示す図である。
【図１６】図１３の異常監視回路のＡ点の電圧の変化を示す図である。
【符号の説明】
１００　　画像処理装置
１１０　　リーダ部
１４０　　原稿給送装置
１１１　　原稿台ガラス
１１２　　ランプ
１１３　　スキャナ・ユニット
１１４　　ミラー
１１５　　ミラー
１１６　　ミラー
１１７　　レンズ
１１８　　ＣＣＤイメージ・センサ部
１５０　　プリンタ部
１５１　　露光制御部
１５２　　感光体
１５３　　現像器
１５４　　転写紙積載部
１５５　　転写紙積載部
１５６　　転写部
１５７　　定着部
１５８　　排紙部
１５９　　搬送方向切り替え部材
１６０　　再給紙用転写紙積載部
１６１，１６２，１６３　　センサ
１６４，１６５、１６６、１６７　ローラ
１７０　　ソータ
１７１　　ビン
１７２　　ビン
３００　　制御装置
３０１　　ＣＰＵ
３０２　　ＲＯＭ
３０３　　ＲＡＭ
３０４　　Ｉ／Ｏ
４０１　　発信回路
４０２，４０３，４０４，４０５　スイッチ
４０６　　反転素子
４０７，４０８　抵抗
４０９　　コンパレータ
４１０　　サーミスタ
４１１　　抵抗
４１２　　サーミスタ
４１３　　Ａ／Ｄコンバータ
４１４　　補正回路
Ｃ１　　　異常監視回路
【図１】
2004145209.tif 000003
【図２】
2004145209.tif 000004
【図３】
2004145209.tif 000005
【図４】
2004145209.tif 000006
【図５】
2004145209.tif 000007
【図６】
2004145209.tif 000008
【図７】
2004145209.tif 000009
【図８】
2004145209.tif 000010
【図９】
2004145209.tif 000011
【図１０】
2004145209.tif 000012
【図１１】
2004145209.tif 000013
【図１２】
2004145209.tif 000014
【図１３】
2004145209.tif 000015
【図１４】
2004145209.tif 000016
【図１５】
2004145209.tif 000017
【図１６】
2004145209.tif 000018